(57)【要約】  動物に与える負担が低減される装着具などを実現する。装着具（１）は、動物に装着される装着具であって、動物の首に装着される首輪部（１０）と、首輪部に一端が連結されている第１ベルト部（２１）および第２ベルト部（２２）とを備え、第１ベルト部および第２ベルト部の他端には、当該第１ベルト部および第２ベルト部の他端を互いに連結するための連結部（２３）が設けられている。
2019031265.tif 000002
【特許請求の範囲】
【請求項１】
動物に装着される装着具であって、
前記動物の首に装着される首輪部と、
前記首輪部に一端が連結されている第１ベルト部および第２ベルト部とを備え、
前記第１ベルト部および前記第２ベルト部の他端には、当該第１ベルト部および当該第２ベルト部の他端を互いに連結するための連結部が設けられていることを特徴とする装着具。
【請求項２】
前記首輪部には、前記第１ベルト部および前記第２ベルト部の少なくとも一方を挟む第１対向部および第２対向部が設けられていることを特徴とする請求項１に記載の装着具。
【請求項３】
前記第１対向部は、前記第１ベルト部および前記第２ベルト部が取り付けられた位置間における前記首輪部の円周部のうち、距離が長い方の円周部の一部を構成するか、または前記距離が長い方の円周部に取り付けられた第１布地であり、
前記第２対向部は、前記首輪部の一部または前記第１布地に取り付けられた第２布地であり、
前記第１布地および前記第２布地は、互いに対向する面に面ファスナーを備えることを特徴とする請求項２に記載の装着具。
【請求項４】
前記第１ベルト部または前記第２ベルト部は、前記動物の腋窩に当接する部分に電極を有し、
前記電極は、前記第１ベルト部または前記第２ベルト部、および前記首輪部内に通された導線を介して、前記動物の生体情報を測定する測定装置に接続されており、
前記第１ベルト部および前記第２ベルト部が取り付けられた位置間における前記首輪部の円周部のうち、距離が長い方の円周部に、前記測定装置を収納する袋部を有し、
前記袋部の開口部を覆う蓋部と、
前記袋部の外側に前記蓋部を固定する留め具とを備えていることを特徴とする請求項１に記載の装着具。
【請求項５】
動物に装着される装着具であって、
前記動物の首に装着される首輪部と、
前記首輪部に一端が連結されているベルト部とを備え、
前記ベルト部の他端には、前記首輪部に当該他端を連結するための連結部が設けられており、
前記ベルト部は、前記動物の左右どちらかの腋の下から背中を通し、反対の腋の下を通して装着されるものであることを特徴とする装着具。
【請求項６】
請求項１に記載の装着具を前記動物に装着させる方法であって、
前記首輪部を前記動物の首に装着する装着ステップと、
前記第１ベルト部および前記第２ベルト部のそれぞれが、前記動物の左右の腋窩のそれぞれに当接するように、前記第１ベルト部および前記第２ベルト部を前記動物の腋の下に通す腋窩当接ステップと、
前記第１ベルト部および第２ベルト部のそれぞれの前記他端を連結させる連結ステップとを備えることを特徴とする方法。
【請求項７】
請求項５に記載の装着具を動物に装着させる方法であって、
前記首輪部を前記動物の首に装着する装着ステップと、
前記ベルト部を前記動物の背中を介して左右の腋窩のそれぞれに当接するように、ベルト部を前記動物の腋の下に通す腋窩当接ステップと、
前記ベルト部の他端を前記首輪部に連結させる連結ステップとを備えることを特徴とする方法。
【発明の詳細な説明】
【技術分野】
【０００１】
本開示は、生体、特に体毛を有する動物に装着する装着具、および当該装着具を動物に装着させる方法に関する。
【背景技術】
【０００２】
特許文献１には、胸部装着帯と、首輪部材とからなるハーネス形態の装着部材を有する、動物の生体信号の検出装置が開示されている。当該装着部材においては、胸部装着帯が、一方の胸側部から背部を通って他方の胸側部にわたって胸部を覆う上帯片と、前記胸側部間を下方の胸部を通って覆う下帯片とからなり、上帯片と下帯片との端部どうしを連結することで環状になる。上帯片の両端先端側の内側表面には、円柱状の弾性部材が配置されると共に、該弾性部材を跨ぎながら上帯片の長手方向の中央部に向かうように電極が敷設される。該電極は上帯片に形成されたスリットを通して上帯片の内側から表側に通し出され、該電極の敷設終端部において上帯片の表側に配設された絶縁被覆シートに該電極が積層され、且つ、該電極に取付具を介して出力手段が着脱自在に装着される。
【先行技術文献】
【特許文献】
【０００３】
【特許文献１】日本国特許公報「特許第３９７８４５３号公報（２００７年９月１９日発行）」
【発明の概要】
【発明が解決しようとする課題】
【０００４】
しかしながら、特許文献１の装着部材においては、動物の動きに伴って胸部装着帯の位置が変位して首輪部材が動物の後ろ方向に引っ張られ、首を絞めつけられた状態になる虞がある。【０００５】
本開示の一態様は、動物に与える負担が低減される装着具などを実現することを目的とする。
【課題を解決するための手段】
【０００６】
上記の課題を解決するために、本開示の一態様に係る装着具は、動物に装着される装着具であって、前記動物の首に装着される首輪部と、前記首輪部に一端が連結されている第１ベルト部および第２ベルト部とを備え、前記第１ベルト部および第２ベルト部の他端には、当該第１ベルト部および第２ベルト部の他端を互いに連結するための連結部が設けられている。【０００７】
また、本開示の一態様に係る装着具は、動物に装着される装着具であって、前記動物の首に装着される首輪部と、前記首輪部に一端が連結されているベルト部とを備え、前記ベルト部の他端には、前記首輪部に当該他端を連結するための連結部が設けられており、前記ベルト部は、当該ベルト部が前記動物の左右の腋窩のそれぞれに当接するように装着するために適した長さを有している。
【発明の効果】
【０００８】
本開示の一態様に係る装着具によれば、動物に与える負担を低減することができる。
【図面の簡単な説明】
【０００９】
【図１】（ａ）は、実施形態１に係る装着具の構成の一例を示す斜視図であり、（ｂ）は、実施形態１に係る装着具の構成の、別の例を示す斜視図である。
【図２】（ａ）は、保持部が結合部を保持する前の状態を示す正面図であり、（ｂ）は、（ａ）に示した状態の側面図であり、（ｃ）は、保持部が結合部を保持した後の状態を示す側面図である。
【図３】実施形態１に係る装着具を犬に装着する方法を示す図であり、（ａ）は装着途中、（ｂ）は装着完了後の状態を示している。
【図４】実施形態１の変形例に係る装着具の構成を示す斜視図である。
【図５】実施形態１の、図４に示した変形例とは別の変形例に係る装着具の構成を示す斜視図である。
【図６】実施形態２に係る装着具の構成を示す斜視図である。
【図７】（ａ）は、収納部の蓋部６２が開いた状態を示す正面図であり、（ｂ）は、（ａ）に示した状態の側面図であり、（ｃ）は、蓋部６２が閉じた状態を示す側面図である。
【図８】（ａ）は、袋部の形状の一例を示す図であり、（ｂ）は、袋部の形状の、（ａ）に示した例とは別の例を示す図である。
【図９】（ａ）は、首輪部内に導線を取り付ける方法の一例を示す図であり、（ｂ）は、首輪部内に導線を取り付ける方法の、（ａ）とは別の例を示す図であり、（ｃ）は、首輪部内に導線を取り付ける方法の、（ｂ）とも別の例を示す図である。
【図１０】（ａ）は、電極と測定装置とを接続する方法の一例を示す裏面図であり、（ｂ）は、電極と測定装置とを接続する方法の、（ａ）とは別の例を示す裏面図であり、（ｃ）は、帯部材の別の例を示す図であり、（ｄ）は、電極と測定装置とを接続する方法の、（ｂ）に示した例の変形例を示す図であり、（ｅ）は、電極と測定装置とを接続する方法の、さらに別の例を示す。
【図１１】（ａ）は、蓋部に留め具が設けられている収納部を示す斜視図であり、（ｂ）は、（ａ）に示した収納部において蓋部が閉じた状態を示す側方断面図である。
【図１２】（ａ）は、袋部に留め具が設けられている収納部を示す斜視図であり、（ｂ）は、（ａ）に示した収納部において蓋部が閉じた状態を示す斜視図であり、（ｃ）は、（ｂ）に示した状態の側方断面図である。
【図１３】実施形態３に係る装着具の一部の構成を示す図であって、（ａ）は正面図、（ｂ）は裏面図である。
【図１４】（ａ）は、温度センサの形状を示す底面図であり、（ｂ）は、温度センサの形状を示す側面図であり、（ｃ）は、温度センサを孔部の位置に固定する方法の例を示す図であり、（ｄ）は、温度センサを孔部の位置に固定する方法の、（ｃ）に示した例とは別の例を示す図である。
【発明を実施するための形態】
【００１０】
以下では、装着対象の動物が犬である例について説明する。装着対象の動物は、特に犬に限らず、例えば、（ｉ）猫、ウサギ、フェレット、猿、またはハムスター等の愛玩動物、（ｉｉ）馬、牛、豚、ヒツジ、またはヤギ等の家畜、あるいは（ｉｉｉ）トラまたはライオン等の大型動物であってもよい。
【００１１】
〔実施形態１〕
以下、本開示の一実施形態について、図１から図５に基づいて詳細に説明する。
【００１２】
図１の（ａ）は、本実施形態に係るハーネス１００の構成の一例を示す斜視図である。ハーネス１００は、リード９０および装着具１を備えている。図１の（ａ）に示すように、装着具１は、首輪部１０と、第１ベルト部２１と、第２ベルト部２２とを備える。リード９０は、首輪部１０に取り付けられている。
【００１３】
図１の（ｂ）は、本実施形態に係るハーネス１００の構成の、別の例を示す斜視図である。ハーネス１００において、リード９０は首輪部１０に対して着脱可能に構成されていてもよい。例えば、図１の（ｂ）に示すように、ハーネス１００は、リード９０が取り付けられたリード側ベルト９１を有していてもよい。この場合、リード側ベルト９１を首輪部１０に連結させるための連結部材９１ａ〜９１ｄを、首輪部１０およびリード側ベルト９１のそれぞれに設ければよい。
【００１４】
首輪部１０は、犬の首に装着される首輪である。図１の（ａ）に示すように、首輪部１０は、帯状の本体１１の両端を、当該両端に設けられた結合部１２により結合させることにより形成されている。ただし、首輪部１０に結合部１２を設けることは必須ではなく、首輪部１０を一続きの環状の部材として形成してもよい。
【００１５】
首輪部１０の材料は特に制限されず、例えば天然皮革、合成皮革、樹脂、天然繊維、または化学繊維など、任意の材料であってよい。また、首輪部１０は、当該首輪部１０の長さを調整するための調整部（図示せず）をさらに有してもよい。
【００１６】
第１ベルト部２１および第２ベルト部２２は、首輪部１０に一端が連結されているベルトである。また、第１ベルト部２１および第２ベルト部２２の他端には、当該第１ベルト部２１および第２ベルト部２２の他端を互いに連結させるための連結部２３が設けられている。犬が装着具１を装着している場合に、第１ベルト部２１および第２ベルト部２２はそれぞれ、犬の左右の腋の下を通る。
【００１７】
連結部２３は、第１ベルト部２１および第２ベルト部２２の、それぞれの他端に設けられた第１連結部材２３１および第２連結部材２３２を有する。第１連結部材２３１および第２連結部材２３２は、例えばバックル、豆差し、ホック、スナップ、またはボタンなどである。第１連結部材２３１および第２連結部材２３２が互いに連結することで、第１ベルト部２１、第２ベルト部２２および首輪部１０の一部によって、環状のベルトが形成される。本実施形態では、第１連結部材２３１および第２連結部材２３２は、犬の背中側で互いに連結される。なお、第１ベルト部２１および第２ベルト部２２の長さを互いに異ならせ、犬の背中以外の箇所、例えば側腹部または腹部などで第１連結部材２３１および第２連結部材２３２を連結してもよい。
【００１８】
また、第１連結部材２３１および第２連結部材２３２は、それぞれ第１ベルト部２１および第２ベルト部２２の長さを調整する機能を有する。第１ベルト部２１および第２ベルト部２２がそれぞれ第１連結部材２３１および第２連結部材２３２で折り返されることで、第１ベルト部２１および第２ベルト部２２の長さを調整することができる。
【００１９】
第１ベルト部２１および第２ベルト部２２の一部または全部は、例えばゴム等の、弾性を有する材料で形成される。例えば、第１ベルト部２１および第２ベルト部２２は、（ｉ）ゴムで形成されたベルトと、（ｉｉ）伸縮性の小さいまたは伸縮性のほとんどない材料で形成されたベルトと、を連結させたベルトであってもよい。
【００２０】
第１ベルト部２１および第２ベルト部２２のそれぞれは、当接部２４および２５を有している。犬が装着具１を装着している場合に、当接部２４および２５はそれぞれ、犬の左右の腋窩のそれぞれに当接する。例えば当接部２４および２５は、第１ベルト部２１および第２ベルト部２２のそれぞれの、犬の腋窩に当接する箇所に配された円筒形状の緩衝材（例えばポリクロロプレン）であってよい。なお、当接部２４および２５として、必ずしも第１ベルト部２１および第２ベルト部２２本体とは異なる部材を設ける必要はない。
【００２１】
上述したとおり、第１ベルト部２１および第２ベルト部２２は、それぞれ弾性体を含んでいる。このため、装着具１を装着している犬の姿勢が変わっても、第１ベルト部２１および第２ベルト部２２の弾性により、当接部２４および２５が犬の腋窩に当接した状態が維持される。
【００２２】
首輪部１０は、保持部３０を備える。保持部３０は、互いに連結された第１ベルト部２１および第２ベルト部２２の、首輪部１０に対する変位を制限する。本実施形態の保持部３０は、上側片３１（第１対向部、第１布地）と下側片３２（第２対向部、第２布地）とを有する。
【００２３】
上側片３１は、首輪部１０において第１ベルト部２１および第２ベルト部２２が取り付けられた位置間における首輪部１０の円周部のうち、距離が長い方の円周部の一部を構成する。当該距離が長い方の円周部について、図１の（ａ）を例に説明する。当該距離が長い方の円周部は、第１ベルト部２１および第２ベルト部２２が取り付けられた２点によって区切られる２つの円周部１０ａ・１０ｂのうち、結合部１２が設けられている円周部１０ｂとは異なる円周部１０ａである。なお、帯状の本体１１を環状にすることによって首輪部１０が形成されている場合には、上側片３１は、首輪部としての環状の本体１１に設けられていてもよい。この場合、環状の本体１１に取り付けられた第１ベルト部２１および第２ベルト部２２の取り付け位置によって区分される２つの円周部１０ａ・１０ｂのうち、距離が長い方の円周部１０ａに上側片３１が取り付けられる。一方、下側片３２は、首輪部１０の上側片３１が取り付けられている方の円周部１０ａ、または上側片３１に設けられている。
【００２４】
本実施形態の上側片３１および下側片３２は、連結部２３を挟むことができる。このとき、上側片３１および下側片３２は、連結部２３の両側の第１ベルト部２１および第２ベルト部２２も併せて挟む。ただし、上側片３１および下側片３２は、例えば第１ベルト部２１および第２ベルト部２２の少なくとも一方を挟むものであってもよい。上側片３１および下側片３２が第１ベルト部２１および第２ベルト部２２の少なくとも一方を挟むことで、第１ベルト部２１および第２ベルト部２２の、首輪部１０に対する変位を制限することができる。
【００２５】
図２の（ａ）は、上側片３１および下側片３２が連結部２３を挟む前の状態を示す正面図である。図２の（ｂ）は、図２の（ａ）に示した状態の側面図である。図２の（ｃ）は、上側片３１および下側片３２が連結部２３を挟んだ後の状態を示す側面図である。
【００２６】
上側片３１および下側片３２は、互いに対向する面にそれぞれ面ファスナー３３および３４を備える。連結部２３を保持部３０により保持させる場合、図２の（ａ）および（ｂ）に示すように、上側片３１および下側片３２を開いた状態で、下側片３２上に連結部２３を配置する。この状態で図２の（ｃ）に示すように、上側片３１および下側片３２により連結部２３を挟むと、面ファスナー３３および３４が、連結部２３を間に挟み込んだ状態で互いに接合する。
【００２７】
このように保持部３０により、第１ベルト部２１および第２ベルト部２２を適切な位置に保持することができる。そのため、第１ベルト部２１および第２ベルト部２２が適切な位置から変位することによる犬への負荷を低減できる。また、連結部２３を保持部３０によって被覆することにより、連結部２３が犬の身体に接触することで擦過傷などを受ける可能性を低減できる。また、連結部２３を保持部３０によって覆うことにより、見栄えを良くすることができる。
【００２８】
また、保持部３０に保持される連結部２３の位置は、面ファスナー３３および３４の接合面の範囲内で任意の位置とすることができる。このため、犬の身体の大きさに合わせて連結部２３の位置を決定することで、装着具１を装着することによる犬への負荷を低減できる。なお、保持部３０に保持される連結部２３の位置の自由度を向上させるためには、面ファスナー３３および３４を長く形成することが好ましい。
【００２９】
また、図２の（ａ）に示すように、保持部３０には、第１ベルト部２１および第２ベルト部２２の、第１連結部材２３１および第２連結部材２３２で折り返されて余った部分２１１および２２１も併せて保持することができる。これにより、装着具１を装着された犬が部分２１１および２２１に噛みついて装着具１を損傷させる虞を低減できる。
【００３０】
図３は装着具１を犬に装着する方法を示す図であり、（ａ）は装着途中、（ｂ）は装着完了後の状態を示している。装着具１を犬に装着させる場合、まず、図２の（ａ）に示すように、ユーザ（例えば犬の飼い主、または獣医）は首輪部１０を犬の首に装着する（装着ステップ）。次にユーザは、第１ベルト部２１および第２ベルト部２２のそれぞれが犬の左右の腋窩のそれぞれに当接するように、第１ベルト部２１および第２ベルト部２２を犬の腋の下に通す（腋窩当接ステップ）。その後ユーザは、第１ベルト部２１および第２ベルト部２２のそれぞれの他端（首輪部１０に連結している端部とは逆の端部）を連結部２３により連結させる（連結ステップ）。以上の方法により、ユーザは装着具１を犬に装着させることができる。
【００３１】
以上のとおり、装着具１は、前記動物の首に装着される首輪部１０と、首輪部１０に一端が連結されている第１ベルト部２１および第２ベルト部２２とを備える。第１ベルト部２１および第２ベルト部２２の他端には、第１ベルト部２１および第２ベルト部２２の他端を互いに連結するための連結部２３が設けられている。
【００３２】
このため、装着具１の装着時には、首輪部１０を犬に装着させた後、第１ベルト部２１および第２ベルト部２２を犬の腋の下を通して背中側で連結させるだけでよい。また、犬の動作または姿勢の変化により、第１ベルト部２１および第２ベルト部２２が犬の背中側へ引っ張られる場合に、首輪部１０は犬の前方へ引っ張られる。このため、犬が装着具１によって首を絞めつけられる虞が低減される。したがって、装着具１を装着する時、および装着した状態において犬に与える負担が低減される。
【００３３】
（変形例１）
図４は、本実施形態の変形例に係る装着具１Ａの構成を示す斜視図である。上述した実施形態では、装着具１は第１ベルト部２１および第２ベルト部２２を有していた。本変形例の装着具１Ａは２本のベルト部を有さず、１本のベルト部２６のみを有してもよい。ベルト部２６の一端は、首輪部１０に連結されている。また、ベルト部２６の他端には、首輪部１０に当該他端を連結するための連結部材２７１が設けられている。また、首輪部１０には、連結部材２７１と連結される連結部材２７２が設けられている。
【００３４】
ベルト部２６は、犬の左右どちらかの腋の下から背中を通し、反対の腋の下を通して装着することを想定した長さを有している。装着具１Ａを犬に装着させる場合には、まず装着具１の場合と同様、ユーザは首輪部１０を犬の首に装着する（装着ステップ）。次にユーザは、ベルト部２６を犬の背中を介して左右の腋窩のそれぞれに当接するように、ベルト部２６を犬の腋の下に通す（腋窩当接ステップ）。その後、ユーザは、ベルト部２６の他端を首輪部１０に連結させる（連結ステップ）。
【００３５】
このような装着具１Ａであっても、ベルト部２６が犬の両腋の下および背中を通るようにベルト部２６を配することにより、上述した装着具１と同様、犬に与える負担が低減される。またこの場合、保持部３０は、ベルト部２６の、連結部材２７１で折り返されて余った部分２６１が長い場合に当該部分２６１を保持する。
【００３６】
（変形例２）
図５は、本実施形態の、図４に示した変形例とは別の変形例に係る装着具１Ｂの構成を示す斜視図である。装着具１Ｂにおいては、第１ベルト部２１または第２ベルト部２２の当接部２４または２５の近傍かつ、犬の身体に当接する面に、圧力センサ２８が設けられている。圧力センサ２８は、第１ベルト部２１が犬の身体に与える圧力を計測し、当該圧力をユーザが所持する表示装置（例えばパソコンまたはスマートフォンのディスプレイ）に表示するものであってよい。また、圧力センサ２８は、上記圧力が過大または過小である旨のメッセージを上記表示装置に表示してもよい。または、締め付け力を示すインジケータを表示する、または色で表示するといった方法で、締め付け力の大きさまたは締め付け力の適否（適切、過大、または過小など）をユーザが直感的に理解できるようにしてもよい。
【００３７】
これらの場合ユーザは、圧力センサ２８が計測した圧力に基づいて、第１ベルト部２１の長さを調節することで、第１ベルト部２１が犬に適切な圧力で当接するようにすることができる。なお、図５に示した例では、第１ベルト部２１にのみ圧力センサ２８が設けられている。しかし、圧力センサ２８は、第１ベルト部２１および第２ベルト部２２の両方に設けられてもよく、第２ベルト部２２にのみ設けられてもよい。
【００３８】
〔実施形態２〕
本開示の他の実施形態について、図６から図１０に基づいて以下に説明する。なお、説明の便宜上、上記実施形態にて説明した部材と同じ機能を有する部材については、同じ符号を付記し、その説明を省略する。
【００３９】
図６は、本実施形態に係る装着具２の構成を示す斜視図である。装着具２は、例えば犬の心電を測定するための測定具である。装着具２は、保持部３０を備えず、測定装置４０、導線１３、電極５１および５２、ならびに収納部６０を備える点で装着具１と相違する。
【００４０】
収納部６０は、保持部３０と同様、首輪部１０を犬に装着した場合における、犬の背中側に設けられている。具体的には、収納部６０は、第１ベルト部２１および第２ベルト部２２が取り付けられた位置間における首輪部１０の円周部のうち、距離が長い方の円周部に設けられている。収納部６０は、例えば化学繊維の織物、または天然繊維の織物などによる布地で形成されていてよい。また、収納部６０は、布地だけでなく、プラスチック素材による固い箱状の部材、またはシリコン素材による柔らかめの箱状あるいは袋状の部材に形成されていてもよい。収納部６０は、袋部６１（第１対向部）と蓋部６２（第２対向部）とを有する。袋部６１は、測定装置４０を内部に収納する袋状の部材である。蓋部６２は、袋部６１の開口部を覆う部材である。本実施形態では、蓋部６２と対向する袋部６１の面、および袋部６１と対向する蓋部６２の面のそれぞれに、袋部６１の外側に蓋部６２を固定する留め具としての面ファスナー６３および６４が設けられている。本実施形態の収納部６０は、連結部２３を内部に収納する。
【００４１】
図７の（ａ）は、収納部６０の蓋部６２が開いた状態を示す正面図である。図７の（ｂ）は、図７の（ａ）に示した状態の側面図である。図７の（ｃ）は、蓋部６２が閉じた状態を示す側面図である。
【００４２】
収納部６０により連結部２３を保持する場合、図７の（ａ）および（ｂ）に示すように、蓋部６２を開いた状態で、袋部６１上で連結部２３を結合させる。この状態で図７の（ｃ）に示すように蓋部６２を閉じると、面ファスナー６３および６４が、連結部２３を挟み込んだ状態で互いに接合する。これにより、収納部６０により連結部２３を保持することができる。また、収納部６０には、第１ベルト部２１および第２ベルト部２２の余分な部分も併せて収納されてよい。
【００４３】
図８の（ａ）は、袋部６１の形状の一例を示す図である。図８の（ｂ）は、袋部６１の形状の、図８の（ａ）に示した例とは別の例を示す図である。袋部６１は、例えば図８の（ａ）に示すような、マチのない形状であってもよい。また、袋部６１は、例えば図８の（ｂ）に示すような、マチ６１１のある形状であってもよい。
【００４４】
測定装置４０は、犬の心電を測定するための装置である。測定装置４０は、犬の心臓を挟むような位置に設けられた電極５１および５２と、導線１３によって電気的に接続されている。測定装置４０は、電極５１および５２の間の電位差を検出・解析することによって、犬の心電を測定する。
【００４５】
電極５１および５２は、犬の心電を測定するための電極である。ただし、電極５１および５２は、犬の心電以外の生体情報を測定するものであってもよい。具体的には、電極５１および５２は、例えば上述した緩衝材の外周に配された、導電性を有する布であってよい。電極５１および５２は、当接部２４および２５に備えられている。上述したとおり、当接部２４および２５は犬の腋窩に当接する部分である。したがって、電極５１および５２も同様に、犬の腋窩に当接する。
【００４６】
また、電極５１および５２のさらに外周に、導電性を有するゲルシートが貼付されてもよい。ゲルシートは、電極と皮膚との接触面積を増加させ、導電率を向上させるための補助的な部材である。また、ゲルシートが貼付されることで、装着具２を装着している犬の姿勢が変化しても、電極５１および５２と腋窩との接触が維持されやすくなる。
【００４７】
腋窩は、犬の身体で比較的被毛が薄い領域である。このため、電極５１および５２を犬の腋窩に当接させることで、剃毛、または導電性ジェルの塗布といった処理を行うことなく犬の心電を測定することができる。また、腋窩は、床または壁等への接触の虞が小さいため、当該接触により電極５１および５２の位置が変化して正常な測定が妨げられる虞が小さい。
【００４８】
図９の（ａ）は、首輪部１０、第１ベルト部２１または第２ベルト部２２内に導線１３を取り付ける方法の一例を示す図である。導線１３は、電極５１または５２と測定装置４０とを接続する信号線である。導線１３は、第１ベルト部２１、第２ベルト部および首輪部１０内に通されている。換言すれば、電極５１および５２は、第１ベルト部２１または第２ベルト部２２および首輪部１０内に通された導線１３を介して測定装置４０に接続されている。導線１３は、例えば金属、導電糸または導電性テープなどであってよい。
【００４９】
図９の（ａ）に示す方法では、首輪部１０の本体１１の、幅方向における一方の端部の近傍に導線１３を配置する。その上で、導線１３をバイアステープなどに代表されるような縁取り部材１４で覆うことで、導線１３が外部に露出しないように、首輪部１０内に導線１３を取り付けることができる。第１ベルト部２１および第２ベルト部２２において、電極５１および電極５２のそれぞれから首輪部１０まで延びる導線１３についても同様である。
【００５０】
なお、縁取り部材１４は、導電性を持たない素材（綿、化繊、またはゴムなど）で構成されることがのぞましい。また、縁取り部材１４の外側または内側に、電磁波を通さないシールド特性を持つ布などを接着または縫着してもよい。このように縁取り部材１４で導線１３の周囲を覆うことにより、さらにその外側に位置する物体（体毛、地面、または床など）と導線１３とが接触することによるノイズ、および、周辺に飛ぶ電磁波から受けるノイズを低減させることができる。
【００５１】
図９の（ｂ）は、首輪部１０、第１ベルト部２１または第２ベルト部２２内に導線１３を取り付ける方法の、図９の（ａ）とは別の例を示す図である。首輪部１０においては、図９の（ｂ）に示すように、本体１１を形成する布地自体が導線１３を巻くように構成されていてもよい。
【００５２】
図９の（ｃ）は、首輪部１０、第１ベルト部２１または第２ベルト部２２内に導線１３を取り付ける方法の、図９の（ｂ）とも別の例を示す図である。図９の（ｃ）に示す首輪部１０は、首輪としての形状を維持するための芯地１５が、布地で覆われた構造を有する。芯地１５は、例えばゴムなどで形成されている。この場合には第１ベルト部２１または第２ベルト部２２を、芯地１５の内部に導線１３が埋め込まれた構造とすることができる。
【００５３】
図１０の（ａ）は、電極５１および５２と測定装置４０とを接続する方法の一例を示す裏面図である。図１０の（ａ）に示す例では、袋部６１に２つのバネホック６５が設けられている。バネホック６５はそれぞれ、測定装置４０に設けられたバネホック（不図示）と結合する。バネホック６５はそれぞれ、導線１３によって電極５１または５２と電気的に接続されている。また、測定装置４０に設けられたバネホックは、測定装置４０への電気信号の入力端子（接点）として機能する。したがって、バネホック６５がそれぞれ、測定装置４０に設けられたバネホックと結合することで、測定装置４０と電極５１および５２とを接続すると同時に、測定装置４０を収納部６０に対して固定することができる。バネホック６５は、袋部６１および測定装置４０のそれぞれに３つ以上設けられていてもよい。なお、図１０の（ａ）に示す例では、バネホック６５は袋部６１の外部に露出しているが、必ずしも露出させる必要はない。
【００５４】
また、図１０の（ａ）に示す例では、バネホック６５は、袋部６１の一方に偏った位置に設けられている。また、袋部６１は、測定装置４０の大きさよりも十分に大きく形成されている。このため、袋部６１は、測定装置４０の他に、測定装置４０を駆動させるためのバッテリー４１を併せて収納できる。なお、図示していないが、測定装置４０とバッテリー４１とが電気的に接続されていることは言うまでもない。
【００５５】
図１０の（ｂ）は、電極５１および５２と測定装置４０とを接続する方法の、図１０の（ａ）とは別の例を示す裏面図である。図１０の（ｂ）においては、測定装置４０およびバッテリー４１は省略されている。図１０の（ａ）に示した例では、バネホック６５は袋部６１に設けられていた。これに対し、図１０の（ｂ）に示す例では、収納部６０は、バネホック６５が設けられる帯部材６６を備える。
【００５６】
帯部材６６は、一端のみが収納部６０に固定され、他端は固定されていない帯状の部材である。このため、図１０の（ｂ）に示す例では、バネホック６５を帯部材６６ごと袋部６１の外部へ引き出すことができる。したがって、図１０の（ｂ）に示す例では、測定装置４０を先にバネホック６５に接続してから袋部６１へ収納することができ、図１０の（ａ）に示した例よりも容易に収納部６０に測定装置４０を収納できる。
【００５７】
図１０の（ｃ）は、帯部材６６の別の例を示す図である。図１０の（ｂ）に示した例では、帯部材６６の一端は収納部６０に固定されていた。しかし、帯部材６６の両端が収納部６０に固定されていなくてもよい。この場合、帯部材６６は、２つのバネホック６５が設けられる面積があればよいため、図１０の（ｃ）に示すように帯部材６６の面積を小さくすることができる。
【００５８】
ただし、図１０の（ｂ）および（ｃ）に示す例では、収納部６０と測定装置４０との位置関係が一定しない。このため、例えば測定装置４０が加速度センサをさらに備え、犬の移動を測定する機能を有する場合には、加速度を適切に検出できない虞がある。この場合には、好ましい一例として、図１０の（ａ）に示した例を用いることが挙げられる。
【００５９】
図１０の（ｄ）は、電極５１および５２と測定装置４０とを接続する方法の、図１０の（ｂ）に示した例の変形例を示す図である。図１０の（ｄ）に示す例では、図１０の（ｂ）に示す例と比較して、袋部６１に仕切り６１ａが形成されている点で相違する。
【００６０】
仕切り６１ａは、例えば袋部６１の内面に、袋部６１を形成する布地とは別の布地を縫着することで形成される。袋部６１の内部は仕切り６１ａによって２つの領域に区分され、測定装置４０およびバッテリー４１はそれぞれ異なる領域に収納される。
【００６１】
この場合、測定装置４０が袋部６１の中で移動可能な範囲が、図１０の（ｂ）に示した例より狭くなるため、測定装置４０の位置のズレを低減できる。したがって、測定装置４０が加速度センサを備える場合における、加速度の検出精度を向上させることができる。なお、仕切り６１ａは、袋部６１の表側の布地と裏側の布地とを互いに縫着または接着することで形成されてもよい。
【００６２】
図１０の（ｅ）は、電極５１および５２と測定装置４０とを接続する方法の、さらに別の例を示す。図１０の（ｅ）に示す例では、首輪部１０の両端に、測定装置４０と電極５１および５２とを電気的に接続する接続部１６が設けられている。接続部１６は、導線１３の、首輪部１０の端部から露出した箇所に設けられた接続端子であり、導線１３と測定装置４０の基板に設けられた接続端子（不図示）と接続される。このような方法によっても電極５１および５２と測定装置４０とを接続することができる。
【００６３】
上述したとおり、装着具２は、犬の腋窩に当接する部分において、電極５１および５２を備えている。さらに装着具２は、電極５１および５２の間の電位差を検出・解析して犬（被検体）の心電を測定する測定装置４０、電極５１または５２と測定装置４０とを接続する信号線となる導線１３、ならびに測定装置４０およびバッテリー４１を収納する収納部６０を備える。したがって、装着具２を犬に装着することで、犬の心電を測定することができる。なお、装着具２は測定装置４０を備えず、電極５１および５２の電位差を示す情報を外部に送信する通信部を備えていてもよい。この場合、当該情報を受信した外部装置により犬の心電を測定することができる。
【００６４】
（変形例）
収納部６０の変形例について以下に説明する。以下の変形例における収納部６０は、蓋部６２を閉じた状態で固定するための面ファスナー６３および６４を備えない点で、上記実施形態の装着具２と相違する。
【００６５】
図１１の（ａ）は、蓋部６２に留め具６８が設けられている収納部６０を示す斜視図である。図１１の（ｂ）は、図１１の（ａ）に示した収納部６０において蓋部６２が閉じた状態を示す側方断面図である。図１１の（ａ）および（ｂ）において、測定装置４０およびバッテリー４１は省略されている。
【００６６】
図１１の（ａ）および（ｂ）に示す収納部６０において、留め具６８は、一端が蓋部６２に固定された帯状の部材である。留め具６８の他端、および袋部６１の蓋部６２と逆側（裏側）の面には面ファスナー６９が設けられている。図１１の（ｂ）に示すように、留め具３５を袋部６１の裏側に回り込ませ、面ファスナー６９で留めることで、蓋部６２を閉じた状態で固定することができる。なお、留め具６８、および袋部６１の裏側の面に、面ファスナー６９の代わりにボタン、ホック、またはスナップなどが設けられていてもよい。
【００６７】
図１２の（ａ）は、袋部６１に留め具６８が設けられている収納部６０を示す斜視図である。図１２の（ｂ）は、図１２の（ａ）に示した収納部６０において蓋部６２が閉じた状態を示す斜視図である。図１２の（ｃ）は、図１２の（ｂ）に示した状態の側方断面図である。留め具６８は、図１２の（ａ）に示すように、一端が袋部６１に固定された帯状の部材である。留め具６８の他端、および蓋部６２の袋部６１と逆側（表側）には面ファスナーが設けられている。図１２の（ｂ）に示すように、留め具６８を蓋部６２の表側に回り込ませ、面ファスナーで留めることで、蓋部６２を閉じることができる。なお、留め具６８、および蓋部６２の表側の面に、面ファスナー６９の代わりにボタン、ホック、またはスナップなどが設けられていてもよい。
【００６８】
なお、実施形態１においては、装着具１について、第２ベルト部２２を備えなくてもよい旨を説明した。しかし、本実施形態の装着具２においては、測定装置４０と電極５１および５２とを接続する必要がある。装着具２が第２ベルト部２２を備えない場合、電極５１および５２のうち一方について、測定装置に接続するための導線の長さが長くなる。または、連結部２３において電気的な接続を構成する必要がある。このため、装着具２は、第１ベルト部２１および第２ベルト部２２を備えるほうが簡易な構造となる。
【００６９】
〔実施形態３〕
本開示の他の実施形態について、図１３および図１４に基づいて以下に説明する。
【００７０】
図１３は、本実施形態に係る装着具３の一部の構成を示す図であって、（ａ）は正面図、（ｂ）は裏面図である。装着具３は、上述した装着具２と概ね同様の構成を有する。このため、図１３においては第１ベルト部２１および第２ベルト部２２は省略されている。
【００７１】
図１３に示すように、装着具３においては、収納部６０の裏面、すなわち犬と対向する面に孔部６７が形成されている。また、装着具３は、温度センサ４２を備え、測定装置４０は、犬の体表温を測定する機能を有する。温度センサ４２は、孔部６７を介して犬の身体に当接し、犬の体表温を測定するための体表温センサである。
【００７２】
図１４の（ａ）は、温度センサ４２の形状を示す底面図である。図１４の（ｂ）は、温度センサ４２の形状を示す側面図である。図１４の（ａ）および（ｂ）に示すように、温度センサ４２は、犬の体表温を検出するセンサ部４２１と、温度センサ４２が孔部６７から脱落することを防止するストッパ４２２とを備える。ストッパ４２２は、孔部６７より大きい径を有する板状の部材である。ストッパ４２２が孔部６７の縁に引っ掛かることで、温度センサ４２が孔部６７から脱落することが防止される。
【００７３】
図１４の（ｃ）は、温度センサ４２を孔部６７の位置に固定する方法の例を示す図である。図１４の（ｃ）に示す例では、袋部６１の内側に押圧部材４３が設けられている。押圧部材４３は、温度センサ４２に対して、孔部６７から外へ押し出す方向の力を加える。押圧部材４３は、袋部６１の内部で孔部６７を覆うように形成される帯状の部材である。押圧部材４３は、ゴムなどの弾性を有する材料により形成される。温度センサ４２を袋部６１に取り付ける場合には、押圧部材４３をずらして孔部６７からセンサ部４２１を露出させ、その後に押圧部材４３の位置を元に戻す。温度センサ４２を袋部６１から取り外す場合には、取り付ける場合とは逆の手順で取り外せばよい。
【００７４】
図１４の（ｄ）は、温度センサ４２を孔部６７の位置に固定する方法の、図１４の（ｃ）に示した例とは別の例を示す図である。図１４の（ｄ）に示す例では、温度センサ４２の、犬の身体に接する側とは逆側に、測定装置４０が配されている。また、上記逆側に、測定装置４０ではなく、バッテリー４１が配されていてもよい。このように、他の部材によって温度センサ４２を孔部６７から外へ押し出す方向の力を加えてもよい。
【００７５】
図１４の（ｃ）または（ｄ）に示した方法によれば、温度センサ４２を袋部６１に縫い込むことなく孔部６７の位置に固定できる。したがって、温度センサ４２を収納部６０から必要に応じて容易に取り外すことができるため、犬の身体に直接接触する収納部６０を洗濯することができる。
（関連出願の相互参照）
本出願は、2017年8月8日に出願された日本国特許出願：特願2017-153661に対して優先権の利益を主張するものであり、それを参照することにより、その内容の全てが本書に含まれる。
【００７６】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００７７】
１、１Ａ、１Ｂ、２、３  装着具
１０  首輪部
２１  第１ベルト部（ベルト部）
２２  第２ベルト部
２３  連結部
２６  ベルト部
３０  保持部
３１  上側片（第１対向部、第１布地）
３２  下側片（第２対向部、第２布地）
５１、５２  電極
６０  収納部
６１  袋部（第１対向部、第１布地）
６２  蓋部（第２対向部、第２布地）
【図１】
2019031265.tif 000003
【図２】
2019031265.tif 000004
【図３】
2019031265.tif 000005
【図４】
2019031265.tif 000006
【図５】
2019031265.tif 000007
【図６】
2019031265.tif 000008
【図７】
2019031265.tif 000009
【図８】
2019031265.tif 000010
【図９】
2019031265.tif 000011
【図１０】
2019031265.tif 000012
【図１１】
2019031265.tif 000013
【図１２】
2019031265.tif 000014
【図１３】
2019031265.tif 000015
【図１４】
2019031265.tif 000016
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
動物に装着される装着具であって、
前記動物の首に装着される首輪部と、
前記首輪部に一端が連結されている第１ベルト部および第２ベルト部とを備え、
前記第１ベルト部および前記第２ベルト部の他端には、当該第１ベルト部および当該第２ベルト部の他端を互いに連結するための連結部が設けられていることを特徴とする装着具。
【請求項２】
前記首輪部には、前記第１ベルト部および前記第２ベルト部の少なくとも一方を挟む第１対向部および第２対向部が設けられ、
前記連結部は、前記第１対向部および前記第２対向部に挟まれて保持されていることを特徴とする請求項１に記載の装着具。
【請求項３】
前記第１対向部は、前記第１ベルト部および前記第２ベルト部が取り付けられた位置間における前記首輪部の円周部のうち、距離が長い方の円周部の一部を構成するか、または前記距離が長い方の円周部に取り付けられた第１布地であり、
前記第２対向部は、前記首輪部の一部または前記第１布地に取り付けられた第２布地であり、
前記第１布地および前記第２布地は、互いに対向する面に面ファスナーを備えることを特徴とする請求項２に記載の装着具。
【請求項４】
前記第１ベルト部または前記第２ベルト部は、前記動物の腋窩に当接する部分に電極を有し、
前記電極は、前記第１ベルト部または前記第２ベルト部、および前記首輪部内に通された導線を介して、前記動物の生体情報を測定する測定装置に接続されており、
前記第１ベルト部および前記第２ベルト部が取り付けられた位置間における前記首輪部の円周部のうち、距離が長い方の円周部に、前記測定装置を収納する袋部を有し、
前記袋部の開口部を覆う蓋部と、
前記袋部の外側に前記蓋部を固定する留め具とを備え、
前記連結部は、前記袋部および前記蓋部に挟まれて保持されていることを特徴とする請求項１に記載の装着具。
【請求項５】
動物に装着される装着具であって、
前記動物の首に装着される首輪部と、
前記首輪部に一端が連結されているベルト部とを備え、
前記ベルト部の他端には、前記首輪部に当該他端を連結するための連結部が設けられており、
前記ベルト部は、前記動物の左右どちらかの腋の下から背中を通し、反対の腋の下を通して装着されるものであることを特徴とする装着具。
【請求項６】
前記首輪部には、前記ベルト部を挟む第１対向部および第２対向部が設けられ、
前記連結部は、前記第１対向部および前記第２対向部に挟まれて保持されていることを特徴とする、請求項５に記載の装着具。
【請求項７】
請求項１に記載の装着具を前記動物に装着させる方法であって、
前記首輪部を前記動物の首に装着する装着ステップと、
前記第１ベルト部および前記第２ベルト部のそれぞれが、前記動物の左右の腋窩のそれぞれに当接するように、前記第１ベルト部および前記第２ベルト部を前記動物の腋の下に通す腋窩当接ステップと、
前記動物の背中側において、前記第１ベルト部および前記第２ベルト部のそれぞれの前記他端を連結させる連結ステップとを備えることを特徴とする方法。
【請求項８】
請求項５に記載の装着具を動物に装着させる方法であって、
前記首輪部を前記動物の首に装着する装着ステップと、
前記ベルト部を前記動物の背中を介して左右の腋窩のそれぞれに当接するように、前記ベルト部を前記動物の腋の下に通す腋窩当接ステップと、
前記ベルト部の他端を前記首輪部に連結させる連結ステップとを備えることを特徴とする方法。
【国際調査報告】
2019031265.tif 000017
2019031265.tif 000018
2019031265.tif 000019